(57)【要約】【課題】不要な電池残量測定の回数を減らし、消費電力を削減することができる電子機器を提供する。【解決手段】電子機器に電源を供給する電池１０１の電圧を検出する電圧検出部１１２と、電池１０１の内部抵抗を検出する内部抵抗検出部１１３と、予め定められた一定の電流を流す擬似負荷回路１１１とを備える。また、内部抵抗検出部１１３で検出した電池１０１の内部抵抗の値が閾値を超えた場合に、擬似負荷回路１１１を駆動し電圧検出部１１２により電池１０１の電圧を検出する制御を行うシステム制御部１０３を備える。【選択図】図１
2010038775.tif 000002
【特許請求の範囲】
【請求項１】
電源を供給する電池の電圧を検出する電圧検出手段と、
前記電池の内部抵抗を検出する内部抵抗検出手段と、
予め定められた一定の電流を流す擬似負荷回路と、
前記内部抵抗検出手段で検出した前記電池の内部抵抗の値が閾値を超えた場合に、前記擬似負荷回路を駆動し、前記電圧検出手段により前記電池の電圧を検出する制御を行うシステム制御手段と、
を備えることを特徴とする電子機器。
【請求項２】
電源を供給する電池の電圧を検出する電圧検出手段と、
前記電池の内部抵抗を検出する内部抵抗検出手段と、
予め定められた一定の電流を流す擬似負荷回路と、
各動作時の消費電流値を記憶する記憶手段と、
前記内部抵抗検出手段で検出した前記電池の内部抵抗の値と前記記憶手段に記憶した前記消費電流値から動作時の電圧値を予測し、前記予測された電圧値が閾値を下回った場合に、前記擬似負荷回路を駆動し前記電圧検出手段により前記電池の電圧を検出する制御を行うシステム制御手段と、
を備えることを特徴とする電子機器。
【発明の詳細な説明】
【技術分野】
【０００１】
本発明は、電子機器を動作させる前に、電池に電子機器が正常動作できる残量があるか否かを測定する電子機器に関する。
【背景技術】
【０００２】
従来、電子機器の電池の残量警告を行う技術として、電池電圧を測定し、電池の電圧が規定値以下か、電池の直流抵抗が大きくなったら残量警告を表示する技術がある。
【０００３】
しかし、電池は、アルカリ電池、ニッケル水素電池、リチウムイオン電池などの様々な種類があり、電池電圧の監視のみでは、電池の種類によっては、電池残量不足の警告が出てからも、十分に使用し続けられる場合がある。
【０００４】
即ち、リチウムイオン１セル４．２Ｖに対し、アルカリ電池は１セル１．５Ｖであり、電池の種類によっても電圧や放電特性が異なるため、電圧を監視するだけでは、電池残量がどれだけあるのか正確に測定することができない。
【０００５】
これらの問題を解決するために、擬似負荷回路を設けて電池電圧の残量を測定する技術が提案されている（例えば、特許文献１参照）。
【０００６】
しかし、上記従来技術では、残量測定時の不要な消費電力が大きくなってしまう。
【０００７】
これに鑑み、電池電圧が規定の電圧を下回ると擬似負荷回路を動作させ、残量測定を行う技術も提案されている（例えば、特許文献２参照）。
【特許文献１】特公昭６３−３５３８号公報
【特許文献２】特開２００４−３７１７０号公報
【発明の開示】
【発明が解決しようとする課題】
【０００８】
上記特許文献２記載の技術では、電池残量が十分あるにも関わらず、電池の種類や内部抵抗の変化によって擬似負荷回路を駆動し電池残量を測定してしまう場合がある。
【０００９】
これは、複数の動作モードを持つ携帯機器において、各動作モードにおける消費電流が異なり、さらに、同動作モードにおいて選択される動作の種類に応じても消費電流が異なるためである。
【００１０】
このため、一様に電圧で規定した閾値によって擬似負荷回路を駆動して電池残量の測定を行う場合、消費電流の比較的小さな動作に対しても規定した電圧を超えると擬似負荷回路を駆動せねばならず、不要な電力を消費してしまう。
【００１１】
また、内部抵抗値が大きくばらついた電池では、電圧閾値で残量測定の開始時期を規定すると、大電流を流す動作の場合に、内部抵抗による電圧ドロップで、残量測定を行うことなく電子機器の動作下限電圧にかかってしまう問題がある。
【００１２】
本発明の目的は、不要な電池残量測定の回数を減らし、消費電力を削減することができる電子機器を提供することにある。
【課題を解決するための手段】
【００１３】
上記目的を達成するために、本発明の電子機器は、電源を供給する電池の電圧を検出する電圧検出手段と、前記電池の内部抵抗を検出する内部抵抗検出手段と、予め定められた一定の電流を流す擬似負荷回路と、前記内部抵抗検出手段で検出した前記電池の内部抵抗の値が閾値を超えた場合に、前記擬似負荷回路を駆動し、前記電圧検出手段により前記電池の電圧を検出する制御を行うシステム制御手段とを備えることを特徴とする。
【００１４】
本発明の電子機器は、電源を供給する電池の電圧を検出する電圧検出手段と、前記電池の内部抵抗を検出する内部抵抗検出手段と、予め定められた一定の電流を流す擬似負荷回路と、各動作時の消費電流値を記憶する記憶手段と、前記内部抵抗検出手段で検出した前記電池の内部抵抗の値と前記記憶手段に記憶した前記消費電流値から動作時の電圧値を予測し、前記予測された電圧値が閾値を下回った場合に、前記擬似負荷回路を駆動し前記電圧検出手段により前記電池の電圧を検出する制御を行うシステム制御手段とを備えることを特徴とする。
【発明の効果】
【００１５】
本発明の電子機器によれば、不要な電池残量測定の回数を減らし、消費電力を削減することができる。
【発明を実施するための最良の形態】
【００１６】
以下、本発明の実施の形態を図面を参照しながら詳細に説明する。
【００１７】
但し、本実施の形態に記載する構成要素、組み合わせ、種類、形状、その相対配置などは特定的な記載が無い限り、本発明の範囲をそれのみに限定する趣旨ではない。
【００１８】
図１は、本発明の第１の実施の形態に係る、電子機器としてのデジタルカメラの概略構成図である。
【００１９】
デジタルカメラ１００は、各電源ブロックへ電力を供給する電源回路１０２、一定電流負荷を電池１０１に対してかけることができる擬似負荷回路１１１、電池電圧を検出する電圧検出部１１２、電池１０１の内部抵抗を検出する内部抵抗検出部１１３を備える。これらのユニットは、電池１０１に対して並列に接続されている。
【００２０】
また、デジタルカメラ１００は、システム制御部１０３、検出した電池電圧及び、電池内部抵抗値や電池電圧閾値を記憶しておく記憶部１１０を備える。
【００２１】
電源回路１０２は、システム制御部１０３、撮影を行う撮影部１０４、撮影時のスルー表示及び撮影後の再生画像を表示する表示部１０５へ、各回路に設定された電圧に電池電圧を昇圧または降圧して供給している。
【００２２】
また、電源回路１０２は、鏡筒部や手ぶれ補正装置を駆動するメカ駆動部１０６、ストロボ発光を行う閃光装置１０７、撮影画像の転送及びプリント出力を行う通信部１０８へ、各回路に設定された電圧に電池電圧を昇圧または降圧して供給している。
【００２３】
操作部１０９は、レリーズスイッチや動作モードを選択するためのモードスイッチなどの動作指示をするためのスイッチである。
【００２４】
操作部１０９の操作スイッチが操作されると、スイッチ状態をシステム制御部１０３が検出し、各動作部１０４〜１０９へ制御信号が送られる。
【００２５】
電圧検出部１１２によって、検出された電池電圧は、分圧され、不図示のＡ／Ｄ変換部によってデジタル値に変換されて、システム制御部１０３に送られる。擬似負荷回路１１１は、システム制御部１０３からの制御信号に基きオン／オフの制御を行っている。
【００２６】
システム制御部１０３から駆動信号が送られると、予め定められた一定電流が擬似負荷回路１１１に流され、擬似負荷回路１１１に流れる負荷電流に応じて電池電圧が変化する。
【００２７】
図２は、図１のデジタルカメラによって実行される電池残量測定処理の手順を示すフローチャートである。
【００２８】
本処理は、図１のシステム制御部１０３の制御の下に実行される。
【００２９】
図２において、操作部１０９よりカメラ動作が指示されると（ステップＳ１０１）、システム制御部１０３は、内部抵抗検出部１１３を介して電池１０１の内部抵抗値Ｒｂを取得（算出）する（ステップＳ１０２）。
【００３０】
内部抵抗Ｒｂを取得後、記憶部１１０に格納されている予め定められた抵抗値Ｒｔｈとの比較を行う（ステップＳ１０３）。
【００３１】
記憶部１１１には、カメラ動作モード毎に比較する抵抗値Ｒｔｈを予め記憶しておく。また、電池残量測定を行う必要のあるカメラ動作を記憶しておき、測定した電池残量試験の結果に応じて、抵抗値Ｒｔｈは逐次更新されることとなる。
【００３２】
ここでは一例として、カメラ起動動作時とカメラモードの変更時に比較する抵抗値をＲｔｈ１とし、閃光装置１０７の充電動作時、メカ駆動部１０６のズーム動作時に比較する抵抗値をＲｔｈ２とする。
【００３３】
そして、表示部１０５のオン・オフ、操作部１０９レリーズボタンを押しての静止画撮影時に比較する抵抗値はＲｔｈ３とする。
【００３４】
比較を行った結果、ＲｂがＲｔｈ以下の場合は、指示されたカメラ動作が実行可能と判断し、カメラ動作を行う。
【００３５】
ＲｂがＲｔｈを超えていると判断されると（ステップＳ１０３〜ステップＳ１０５）、擬似負荷回路１１１を駆動し電池電圧試験を行う動作項目が決定される（ステップＳ１０６〜ステップＳ１０８）。
【００３６】
システム制御部１０３は、電圧検出部１１２を介して電池電圧Ｖ０を取得する。電池電圧Ｖ０を取得後、擬似負荷回路１１１を駆動して（ステップＳ１０９、ステップＳ１１０）、予め定められた負荷電流を電池から流す。この時の電池電圧Ｖ１を、電圧検出部１１２を介してシステム制御部１０３は取得する。Ｖ１の取得後、システム制御部１０３は、擬似負荷回路１１１の駆動を停止させる。
【００３７】
システム制御部１０３は、取得した電圧値を基に電池残量を式（１）で算出し、電池残量が十分か否か判断する（ステップＳ１１１）。
Ｖｔｈ  ＜  Ｖ０−Ｋ＊（Ｖ０−Ｖ１）  式（１）
ここで、Ｖｔｈは記憶部１１０に格納されたカメラ動作可能な下限電圧である。この電圧閾値は電池の放電終止電圧をＶｔｈとして記憶部１１０に格納してもよい。
【００３８】
Ｋは予めカメラ動作毎に設定された任意の係数であり、記憶部１１０に格納されている。
【００３９】
電池残量試験を行った結果、演算された電池の予測垂下値がＶｔｈ以下の場合、システム制御部１０３は指示された動作を実行不可能と判断する。
【００４０】
動作実行不可能と判断されると、表示部１０５に電池交換を促す残量警告表示を出す（ステップＳ１１２）。続いてカメラ動作を終了させる。
【００４１】
ステップＳ１１１で、Ｖｔｈ  ＜Ｖ０−Ｋ＊（Ｖ０−Ｖ１）と判断された時は、ステップＳ１０１で指示されたカメラ動作が実行可能と判断し、システム制御部１０３は各動作部へ動作開始の制御信号を送る（ステップＳ１１３）。
【００４２】
一度、電池残量試験が必要と判断された動作項目は、記憶部１１０に記憶される。電池１０１が交換されるか、あるいは再度充電されるまで電池残量試験が必要と判断された動作項目は記憶部１１０に保持され続ける。
【００４３】
その間、該当する動作項目が選択される毎にシステム制御部１０３は、擬似負荷回路１１１を駆動し、電池残量の測定を行う。
【００４４】
以上により、電池残量が残り少なくなり、電池内部抵抗値が増加するのを検出してから擬似負荷回路１１１を駆動した電池残量測定を行う。
【００４５】
図３は、本発明の第２の実施の形態に係る、電子機器としてのデジタルカメラの概略構成図である。
【００４６】
図３において、図１と同一の番号が付加されているものは同じ構成要素を示すものであり、ここでは説明を省略する。
【００４７】
システム制御部１０３の内部の構成を動作と併せて説明する。
【００４８】
電圧検出部１１２によって検出された電池電圧検出信号がＡ／Ｄ変換部２０１に接続されており、Ａ／Ｄ変換部２０１によって電池の電圧情報がデジタル値に変換される。デジタル値に変換された電池電圧値は、ＣＰＵ２０２で処理され、記憶部１１０に保持（記憶）される。
【００４９】
また、内部抵抗演算部２０３は、Ａ／Ｄ変換部２０１からの電池電圧値と記憶部１１０に保持された、擬似負荷回路１１１で流す負荷電流値を基に、電池内部抵抗値を演算し、記憶部１１０に逐次記憶する。
【００５０】
ＣＰＵ２０２は、検出した操作部１０９のスイッチ状態情報を基に、制御部２０４へ擬似負荷回路１１１のオン／オフを行うための制御信号を送っている。
【００５１】
制御部２０４は、擬似負荷回路１１１を駆動し、電池残量測定を行うかどうかを、内部抵抗演算部２０３からの電池内部抵抗値と電圧検出部１１２からの電池電圧情報と予め記憶部１１０に記録された各カメラ動作の消費電流値を基に決定する。
【００５２】
また、電池残量は、Ａ／Ｄ変換部２０１から送られてくる電池電圧情報と記憶部１１０に記憶されているカメラ動作モード毎に設けられた基準電圧値によって測定され、電池残量情報は表示部１０５で表示される。
【００５３】
図４は、図３のデジタルカメラによって実行される電池残量測定処理の手順を示すフローチャートである。
【００５４】
本処理は、図３のシステム制御部１０３の制御の下に実行される。
【００５５】
図４において、操作者によって操作部１０９の起動スイッチが押されると電源回路１０２からシステム制御部１０３へ最低限の電力が供給される（ステップＳ２０１）。
【００５６】
続いて、選択された動作項目について、擬似負荷回路１１１を駆動した電池残量測定が必要かどうか判断される。カメラ起動動作のように、電池交換の直後に行われる可能性のある動作項目は、記憶部１１０に予め記憶されており、常に、擬似負荷回路１１１を駆動させ、動作可能かの判断を行う。
【００５７】
まず、ＣＰＵ２０２が制御信号を送り、電圧検出部１１２を駆動し、現在の電池電圧Ｖ０を検出（取得）する（ステップＳ２０２）。
【００５８】
続いて、擬似負荷回路１１１を駆動した電池残量試験を行う必要があるかを式（２）で判定する（ステップＳ２０３）。Ｒｂ＿ｎ‐１は前回測定した電池内部抵抗値であり、Ｉｃａｍｅｒａはカメラシステムを駆動するのに必要な消費電流参照値である。
Ｖ０ − Ｒｂ＿ｎ‐１×Ｉｃａｍｅｒａ  ＞ Ｖｔｈ’  式（２）
カメラ起動時には、電池内部抵抗を測定し直す必要があるため、ステップＳ２０３の判定はＹＥＳとなる。同一のカメラ動作モードで擬似負荷回路１１１の駆動が必要と判定された場合、対象となるカメラ動作を記憶部１１０に記憶する（ステップＳ２０４）。
【００５９】
次に、擬似負荷回路１１１を駆動する制御信号を送り、予め定めた一定電流負荷Ｉ０を流す（ステップＳ２０５）。
【００６０】
続いて、擬似負荷回路１１１の駆動によって一定電流負荷Ｉ０が印加されている時の電池電圧値が電圧検出部１１２で検出され（ステップＳ２０６）、Ａ／Ｄ変換部でデジタル値に変換されてシステム制御部１０３へ送られる。一定電流負荷ＩＯ印加時の電池電圧の測定が終了すると、一定電流負荷Ｉ０の印加を停止する（ステップ２０７）。
【００６１】
検出した電圧値と予め定めた擬似負荷回路１１１の一定電流負荷Ｉ０から式（３）の電池内部抵抗値Ｒｂが内部抵抗検出部１１３で算出される（ステップＳ２０８）。
Ｒｂ = （Ｖ０-Ｖ１）／Ｉ０    式（３）
算出された電池内部抵抗値は、記憶部１１０に電池電圧値とともに保持される（ステップＳ２０９）。
【００６２】
続いてカメラの起動に必要な電力が電池にあるかを判定する（ステップＳ２１０）。
【００６３】
カメラの起動に必要な電力が電池１０１にあると判断された場合は、カメラ動作を開始する。即ち、ＣＰＵ２０２は各カメラ動作回路へ制御指令を送る（ステップＳ２１１）。カメラの起動に必要な電力が電池１０１にないと判断された場合は、電池残量警告を表示部１０５に表示し電池交換を促す（ステップＳ２１２）。
【００６４】
カメラ起動時及びカメラ動作モードの変更時には、常に、擬似負荷回路１１１を駆動し内部抵抗の算出を行う。
【００６５】
長時間連続起動する際には、予め、記憶部１１０に保持した規定時間を超える度にカメラ内部抵抗値を算出し、記憶部１１０に保持した抵抗値を更新してもよい。
【００６６】
本実施の形態では、カメラ動作毎に擬似負荷回路１１１を駆動した電池残量測定を行うかどうかを、１つ前の擬似負荷回路駆動時に取得した電池内部抵抗値を用いて行う。
【００６７】
消費電流の大きな動作ほど、電池残量が多い状態から擬似負荷回路１１１を駆動させる必要が生じる。
【００６８】
電池内部抵抗の変化は、電池残量の現象と共に増大していく。電池残量が少なくなるほど、電池電圧は低下し、内部抵抗が大きくなる。そして、擬似負荷回路１１１を駆動しなければならない動作項目もそれに伴い増加することとなる。
【００６９】
これにより、電池残量が少なくなるほど、電池内部抵抗の測定が頻繁に行われることとなり、より精度の高い残量検出が可能となる。
【００７０】
以上により、擬似負荷回路１１１を駆動した電池残量測定の実施を電池残量が僅かになるまで行わないことで、各動作を実行する前の擬似負荷回路１１１の駆動回数を減らし、消費電力の低減を図ることができる。
【００７１】
また、電池電圧が低くなってから擬似負荷回路１１１を駆動することで、擬似負荷回路１１１の許容損失の少ない部品を使うことが可能となり、回路の構成面積も小さくすることが可能となる。
【００７２】
図５は、本発明の第３の実施の形態に係る、電子機器としてのデジタルカメラの概略構成図である。
【００７３】
図５において、図１と同一の番号が付加されているものは同じ構成要素を示すものであり、ここでは説明を省略する。
【００７４】
本実施の形態では、擬似負荷回路１１１を電池パック３００内に構成している。
【００７５】
電池パック３００は、最小限の構成として、保護回路３０１、外部から書き換え制御可能な記憶部３０２、電池部（セル）３０３を備える。制御部２０４、擬似負荷回路１１１、電圧検出部１１２は、カメラ本体に持ってもよい。
【００７６】
図６は、図５のデジタルカメラによって実行される電池残量測定処理の手順を示すフローチャートである。
【００７７】
本処理は、図５のシステム制御部１０３の制御の下に実行される。
【００７８】
電池パック３００がデジタルカメラ１００と接続されると、電池端子を介して電源回路１０２へ電源が供給される（ステップＳ３０１）。
【００７９】
電池パック３００がデジタルカメラ１００に接続された時点で、システム制御部１０３は、制御部２０４を介して記憶部３０２に保持された内部抵抗情報を得る（ステップＳ３０２）。
【００８０】
記憶部３０２には、同電池パック３００が前回使用されていた時の動作モード及び電池電圧毎の内部抵抗値が格納されている。
【００８１】
記憶部３０２に保持された前回の内部抵抗情報とカメラ起動時に測定する内部抵抗値を比較することにより、電池の劣化状態を確認することができる。
【００８２】
ここで、制御部２０４を介さずにシステム制御部１０３は、直接記憶部３０２に格納された電池情報を取得してもよい。
【００８３】
操作部１０９よりカメラ動作が指示されると（ステップＳ３０３）、システム制御部１０３は、操作部１０９のスイッチ状態を検出し、制御部２０４へ電池電圧取得の制御信号を送る。
【００８４】
制御部２０４は、電圧検出部１１２からの電池電圧値Ｖ０をデジタル値に変換してシステム制御部１０３へ送る（ステップＳ３０４）。
【００８５】
続いて事前に記憶部１１０に格納したＶｔｈ’と選択した動作で予測される電池電圧の垂下値Ｖ０-Ｒｂｎ‐１×Ｉｃａｍｅｒａ の比較を行う（ステップＳ３０５）。
【００８６】
Ｖｔｈ’は、擬似負荷回路１１１を駆動するための閾値電圧である。この値はカメラを駆動可能な下限電圧より若干高めに設定する。Ｒｂｎ−１は記憶部３０２に保持されていた電池内部抵抗値である。
【００８７】
選択した動作によって予測される電圧垂下量が事前に定めた閾値電圧Ｖｔｈ’に達しない、Ｖ０ - Ｒｂ０×Ｉｃａｍｅｒａ が Ｖｔｈ’以上の時、電池残量は充分あると判断し、システム制御部１０３は、メカ駆動部１０６へ制御信号を送り選択した動作を行う（ステップＳ３１３）。
【００８８】
ここでＶ０ - Ｒｂｎ−１×Ｉｃａｍｅｒａ ＜ Ｖｔｈ’となった場合は、電池残量が残り僅かであると判断し、擬似負荷回路１１１を駆動し再度電池残量の測定を行う。
【００８９】
ステップＳ３０６で、動作判定を記録し、システム制御部１０３部からの制御信号を制御部２０４へ送り、擬似負荷回路１１１を駆動し（ステップＳ３０７）、Ｖ１を測定する（ステップＳ３０８）。
【００９０】
ステップＳ３０９では、定電流負荷をオフする。
【００９１】
続いて、擬似負荷回路１１１によって印加された負荷電流Ｉ０と負荷電流を印加する直前の電圧Ｖ０及び印加後の電圧Ｖ１から式（２）に示す電池内部抵抗を算出する（ステップＳ３１０）。
【００９２】
導出された電池内部抵抗Ｒｂは、電池内部の記憶部３０２に格納され（ステップＳ３１１）、予め記憶部１１０に保持したカメラ動作毎の消費電流値を基に電池残量が測定される。
【００９３】
ステップＳ３１２で、駆動電圧閾値Ｖｔｈと選択した動作で予測される電池の垂下電圧値Ｖ０- Ｒｂ×Ｉｃａｍｅｒａを比較した結果、Ｖ０ - Ｒｂ×Ｉｃａｍｅｒａ＞ Ｖｔｈの場合は、起動に充分な電池残量があると判断し、ステップＳ３１３へ進む。
【００９４】
ステップＳ３１３で、システム制御部１０３は、制御指令をメカ駆動部１０６へ送りズーム動作を行う。そして、処理を終了する。
【００９５】
ステップＳ３１２で、起動に充分な電池残量がないと判断した場合は、操作者に対して電池残量警告を表示部１０５に表示し、電池交換を促す（ステップＳ３１４）。そして、処理を終了する。
【００９６】
ここで、電池内部抵抗の測定は、擬似負荷回路１１１を駆動して測定せずに、別途電池内部抵抗検出部を設けて行っても構わない。
【００９７】
電池パック３００の内部に記憶部３０２を持つことで、電池パック毎の内部抵抗値を保持し区別することが可能となる。
【００９８】
特に、前回使用時の電池残量に応じた内部抵抗値の変化をテーブルとして保持しておくことで、電池の使用状態に応じてどの電池残量状態から内部抵抗が著しく増加するかが判り、より精度の高い残量測定が可能となる。
【００９９】
さらに、必要最小限まで擬似負荷回路１１１を駆動した電池残量測定の回数を減らすことが可能となる。
【０１００】
以上により、電池残量が残り少なくなるまで擬似負荷回路を用いた負荷試験の回数を軽減することで、消費電力の低減を可能とすることができる。
【０１０１】
また、電池残量が少なくなるまで駆動させないため、定格の低い回路素子を用いることが可能となり、実装面積の低減も可能となる。
【図面の簡単な説明】
【０１０２】
【図１】本発明の第１の実施の形態に係る、電池残量測定装置を搭載する電子機器としてのデジタルカメラの概略構成図である。
【図２】図１のデジタルカメラによって実行される電池残量測定処理の手順を示すフローチャートである。
【図３】本発明の第２の実施の形態に係る、電池残量測定装置を搭載する電子機器としてのデジタルカメラの概略構成図である。
【図４】図３のデジタルカメラによって実行される電池残量測定処理の手順を示すフローチャートである。
【図５】本発明の第３の実施の形態に係る、電池残量測定装置を搭載する電子機器としてのデジタルカメラの概略構成図である。
【図６】図５のデジタルカメラによって実行される電池残量測定処理の手順を示すフローチャートである。
【符号の説明】
【０１０３】
１００  デジタルカメラ
１０１  電池
１０２  電源回路
１０３  システム制御部
１０４  撮影部
１０５  表示部
１０６  メカ駆動部
１０７  閃光装置
１０８  通信部
１０９  操作部
１１０  記憶部
１１１  擬似負荷回路
１１２  電圧検出部
１１３  内部抵抗検出部
【図１】
2010038775.tif 000003
【図２】
2010038775.tif 000004
【図３】
2010038775.tif 000005
【図４】
2010038775.tif 000006
【図５】
2010038775.tif 000007
【図６】
2010038775.tif 000008